(57)【要約】【課題】主に各種電子機器の操作に使用される導光シート及びこれを用いた可動接点体に関し、安価で多様な照光が可能なものを提供することを目的とする。【解決手段】基材１に形成された凸状の複数の発光部１２Ａや１２Ｂ等に、蛍光顔料と染色顔料を分散することによって、複数の発光部１２Ａや１２Ｂそのものを、発光素子１０の発光色とは異なる様々な色で発光させることができるため、少ない印刷回数で製作が行え、安価で多様な照光が可能な導光シート１３、及びこれを用いた可動接点体１６を得ることができる。【選択図】図１
2011171091.tif 000002
【特許請求の範囲】
【請求項１】
フィルム状で光透過性の基材と、この基材に形成された凸状の複数の発光部からなり、上記発光部に蛍光顔料と染色顔料を分散した導光シート。
【請求項２】
請求項１記載の導光シートの発光部下面に、略ドーム状で導電金属薄板製の可動接点を装着した可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話や電子カメラ等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、安価で多様な照光を行えるものが求められている。
【０００３】
このような従来の導光シートや可動接点体について、図３を用いて説明する。
【０００４】
なお、この図面は構成を判り易くするために、部分的に寸法を拡大して表している。
【０００５】
図３は従来のスイッチの断面図であり、同図において、１はフィルム状で光透過性の基材で、この基材１下面の所定箇所には、凸状の複数の発光部２Ａや２Ｂ等が設けられている。
【０００６】
そして、この発光部２Ａや２Ｂ上方の基材１上面には、硫化亜鉛等を分散した複数の蛍光体層３Ａや３Ｂ等が形成されて、導光シート４が構成されている。
【０００７】
また、５はフィルム状のベースシート、６は略ドーム状で導電金属薄板製の可動接点で、ベースシート５外周の所定箇所が、接着剤（図示せず）によって導光シート４下面に貼付されると共に、複数の可動接点６が発光部２Ａや２Ｂ下方のベースシート５下面に貼付されて、可動接点体７が構成されている。
【０００８】
さらに、８は上下面に複数の配線パターン（図示せず）が形成された配線基板で、上面には略円形状の中央固定接点９Ａと、これを囲む略馬蹄状または略リング状の外側固定接点９Ｂから形成された、複数の固定接点９が設けられている。
【０００９】
そして、この配線基板８上面に可動接点体７が、各々の可動接点６の外周が外側固定接点９Ｂ上に載置され、可動接点６の下面中央が中央固定接点９Ａと所定の間隙を空けて、対向するように貼付されている。
【００１０】
また、１０は発光ダイオード等の発光素子で、複数の発光素子１０が導光シート４側方の配線基板８上面に実装され、例えば、基材１の右端面に発光面を向けて配置されている。
【００１１】
さらに、１１はフィルム状で光透過性の表示シートで、下面に印刷等によって形成された塗装部１１Ａの所定箇所が、文字や記号等の形状にくり抜かれて複数の表示部１１Ｂが形成され、この表示部１１Ｂが導光シート４の発光部２Ａや２Ｂ上方に配置されて、スイッチが構成されている。
【００１２】
そして、このように構成されたスイッチが、携帯電話等の電子機器の操作面に装着されると共に、複数の中央固定接点９Ａや外側固定接点９Ｂ、複数の発光素子１０が配線パターン等を介して、機器の電子回路（図示せず）に接続される。
【００１３】
以上の構成において、表示シート１１の所定の表示部１１Ｂを下方へ押圧操作すると、この下方の導光シート４やベースシート５が撓んで可動接点６の略ドーム状の中央部が押圧され、所定の押圧力が加わると、可動接点６がクリック感を伴って下方へ弾性反転し、可動接点６の下面中央が中央固定接点９Ａに接触することによって、中央固定接点９Ａと外側固定接点９Ｂが、可動接点６を介して電気的に接続された状態となる。
【００１４】
また、表示シート１１への押圧力を解除すると、弾性復帰力によって可動接点６が上方へ弾性反転し、可動接点６の下面中央が中央固定接点９Ａから離れて、中央固定接点９Ａと外側固定接点９Ｂが電気的に切断された状態となる。
【００１５】
そして、このような固定接点９の電気的接離に応じて、機器の様々な機能の切換えが行われると共に、機器の電子回路から発光素子１０に電源が供給されると、複数の発光素子１０が発光し、この光が例えば右端面から導光シート４内に入射して、基材１内を反射しながら左方へ進む。
【００１６】
さらに、この光が基材１下面の複数の発光部２Ａや２Ｂ等で拡散され反射して、これらの上方の表示シート１１の表示部１１Ｂを下方から照光し、複数の表示部１１Ｂが照光されることによって、周囲が暗い場合でも、これらの表示部１１Ｂの文字や記号等の表示が識別でき、操作を容易に行うことが可能なようになっている。
【００１７】
また、この時、発光部２Ａや２Ｂ上方に形成された蛍光体層３Ａや３Ｂが、例えば発光素子１０の発光色が紫外光で、蛍光体層３Ａは銀が添加された硫化亜鉛を、蛍光体層３Ｂは銅が添加された硫化亜鉛を分散したものであった場合、蛍光体層３Ａは赤色の、蛍光体層３Ｂは緑色の発光色となる。
【００１８】
つまり、発光部２Ａや２Ｂで拡散され反射した発光素子１０の光が、この上方に形成された蛍光体層３Ａや３Ｂを通過することで、赤色や緑色の光に変換され、これらの各々異なった色によって、上方の表示部１１Ｂの照光が行われるようになっている。
【００１９】
すなわち、表示シート１１を押圧操作することによって導光シート４上面を押圧し、可動接点６を弾性反転させて固定接点９の電気的接離を行うと共に、端面から導光シート４内に導入し、発光部２Ａや２Ｂで拡散反射した発光素子１０の光を、蛍光体層３Ａや３Ｂによって異なった色で発光させ、表示シート１１の複数の表示部１１Ｂを、様々な色で照光するように構成されているものであった。
【００２０】
なお、この出願の発明に関連する先行技術文献情報としては、例えば、特許文献１が知られている。
【先行技術文献】
【特許文献】
【００２１】
【特許文献１】特開２００８−３０５６５５号公報
【発明の概要】
【発明が解決しようとする課題】
【００２２】
しかしながら、上記従来の可動接点体７やスイッチにおいては、発光部２Ａや２Ｂ、蛍光体層３Ａや３Ｂ等をスクリーン印刷によって形成する場合、先ず、基材１下面に複数の発光部２Ａや２Ｂ等を印刷形成した後、これに加えて、基材１上面に複数の蛍光体層３Ａや３Ｂ等を、各々別々に印刷形成する必要があるため、照光する発光色が増えるほど印刷回数も増えて、製作に手間がかかり、高価なものになってしまうという課題があった。
【００２３】
本発明は、このような従来の課題を解決するものであり、印刷回数を減らし、安価で多様な照光が可能な導光シート及びこれを用いた可動接点体を提供することを目的とする。
【課題を解決するための手段】
【００２４】
上記目的を達成するために本発明は、以下の構成を有するものである。
【００２５】
本発明の請求項１に記載の発明は、基材に形成された凸状の複数の発光部に、蛍光顔料と染色顔料を分散して導光シートを構成したものであり、発光部に分散された蛍光顔料と染色顔料によって、複数の発光部そのものを、発光素子の発光色とは異なる様々な色で発光させることができるため、少ない印刷回数で製作が行え、安価で多様な照光が可能な導光シートを得ることができるという作用を有する。
【００２６】
請求項２に記載の発明は、請求項１記載の導光シートの発光部下面に、略ドーム状で導電金属薄板製の可動接点を装着して可動接点体を構成したものであり、安価で多様な照光が可能なスイッチを実現することができるという作用を有する。
【発明の効果】
【００２７】
以上のように本発明によれば、安価で多様な照光が可能な導光シート及びこれを用いた可動接点体を実現することができるという有利な効果が得られる。
【図面の簡単な説明】
【００２８】
【図１】本発明の一実施の形態による可動接点体の断面図
【図２】同スイッチの断面図
【図３】従来のスイッチの断面図
【発明を実施するための形態】
【００２９】
以下、本発明の実施の形態について、図１及び図２を用いて説明する。
【００３０】
なお、これらの図面は構成を判り易くするために、部分的に寸法を拡大して表している。
【００３１】
また、背景技術の項で説明した構成と同一構成の部分には同一符号を付して、詳細な説明を簡略化する。
【００３２】
（実施の形態）
図１は本発明の一実施の形態による可動接点体の断面図であり、同図において、１はフィルム状でポリウレタンやシリコーン、スチレン、ポリカーボネート等の可撓性を有する光透過性の基材で、この基材１下面の所定箇所には、凸状でポリエステルやエポキシ等の合成樹脂内に、蛍光顔料と染色顔料が分散された複数の発光部１２Ａや１２Ｂ等が、印刷等によってドット状に形成されて、導光シート１３が構成されている。
【００３３】
なお、この発光部１２Ａや１２Ｂ内に分散された蛍光顔料と染色顔料は、例えば発光部１２Ａには青色を吸収して赤色に発光する、硫化亜鉛にフッ化サマリウムを添加した蛍光顔料や、酸化イッテルビウムにユーロピウムを添加した蛍光顔料と、赤色の補色の緑色を吸収する、アントラキノンやアゾ系の赤色の染色顔料が分散されている。
【００３４】
また、発光部１２Ｂには青色を吸収して緑色に発光する、硫化亜鉛にフッ化イッテルビウムを添加した蛍光顔料や、マグネシウムアルミネートにセリウムとテルビウムを添加した蛍光顔料と、緑色の補色の赤色を吸収する、フタロシアニングリーン等の緑色の染色顔料が分散されている。
【００３５】
そして、５はフィルム状でポリエチレンテレフタレートやポリカーボネート等の可撓性を有するベースシート、６は略ドーム状で銅合金や鋼等の導電金属薄板製の可動接点で、ベースシート５外周の所定箇所が、アクリルやシリコーン等の接着剤１４によって、導光シート１３下面に貼付されると共に、複数の可動接点６が発光部１２Ａや１２Ｂ下方のベースシート５下面に貼付されている。
【００３６】
さらに、１５はポリエチレンテレフタレート等のフィルム状のセパレータで、このセパレータ１５がベースシート５下面全面を覆うように貼付され、保管・搬送時に可動接点６下面に塵埃等が付着しないようにして、可動接点体１６が構成されている。
【００３７】
また、図２はこのような可動接点体１６を用いたスイッチの断面図であり、同図において、８はポリエチレンテレフタレートやポリカーボネート等のフィルム状、または紙フェノールやガラス入りエポキシ等の板状の配線基板で、上下面には銅等によって複数の配線パターン（図示せず）が形成されると共に、上面には銅やカーボン等によって、略円形状の中央固定接点９Ａと、これを囲む略馬蹄状または略リング状の外側固定接点９Ｂから形成された、複数の固定接点９が設けられている。
【００３８】
そして、この配線基板８上面にセパレータ１５を剥離した可動接点体１６が、各々の可動接点６の外周が外側固定接点９Ｂ上に載置され、可動接点６の下面中央が中央固定接点９Ａと所定の間隙を空けて、対向するように貼付されている。
【００３９】
また、１０は発光ダイオード等の発光素子で、白色や青色の発光色の複数の発光素子１０が、導光シート１３側方の配線基板８上面に実装され、例えば、基材１の右端面に発光面を向けて配置されている。
【００４０】
さらに、１１はフィルム状で光透過性の表示シートで、下面に印刷等によって形成された塗装部１１Ａの所定箇所が、文字や記号等の形状にくり抜かれて複数の表示部１１Ｂが形成され、この表示部１１Ｂが導光シート１３の発光部１２Ａや１２Ｂ上方に配置されて、スイッチが構成されている。
【００４１】
そして、このように構成されたスイッチが、携帯電話等の電子機器の操作面に装着されると共に、複数の中央固定接点９Ａや外側固定接点９Ｂ、複数の発光素子１０が配線パターン等を介して、機器の電子回路（図示せず）に接続される。
【００４２】
以上の構成において、表示シート１１の所定の表示部１１Ｂを下方へ押圧操作すると、この下方の導光シート１３やベースシート５が撓んで可動接点６の略ドーム状の中央部が押圧され、所定の押圧力が加わると、可動接点６がクリック感を伴って下方へ弾性反転し、可動接点６の下面中央が中央固定接点９Ａに接触することによって、中央固定接点９Ａと外側固定接点９Ｂが、可動接点６を介して電気的に接続された状態となる。
【００４３】
また、表示シート１１への押圧力を解除すると、弾性復帰力によって可動接点６が上方へ弾性反転し、可動接点６の下面中央が中央固定接点９Ａから離れて、中央固定接点９Ａと外側固定接点９Ｂが電気的に切断された状態となる。
【００４４】
そして、このような固定接点９の電気的接離に応じて、機器の様々な機能の切換えが行われると共に、機器の電子回路から発光素子１０に電源が供給されると、複数の発光素子１０が白色や青色に発光し、この光が例えば右端面から導光シート１３内に入射して、基材１内を反射しながら左方へ進む。
【００４５】
さらに、この光が基材１下面の複数の発光部１２Ａや１２Ｂ等で拡散され反射して、これらの上方の表示シート１１の表示部１１Ｂを下方から照光し、複数の表示部１１Ｂが照光されることによって、周囲が暗い場合でも、これらの表示部１１Ｂの文字や記号等の表示が識別でき、操作を容易に行うことが可能なようになっている。
【００４６】
そして、この時、上述したように発光部１２Ａには、青色を吸収して赤色に発光する蛍光顔料と、赤色の補色の緑色を吸収する赤色の染色顔料が分散され、蛍光顔料によって赤色の成分が増し、染色顔料によって赤以外の色が減少するようになっているため、発光部１２Ａは混じり気のない鮮明な赤色に発光する。
【００４７】
また、発光部１２Ｂには青色を吸収して緑色に発光する蛍光顔料と、緑色の補色の赤色を吸収する緑色の染色顔料が分散され、蛍光顔料によって緑色の成分が増し、染色顔料によって緑以外の色が減少するようになっているため、発光部１２Ｂは混じり気のない鮮明な緑色に発光し、これらの各々異なった発光色によって表示部１１Ｂの照光が行われる。
【００４８】
つまり、表示シート１１を押圧操作することによって導光シート１３上面を押圧し、可動接点６を弾性反転させて固定接点９の電気的接離を行うと共に、端面から導光シート１３内に導入した発光素子１０の白色や青色の光を、発光部１２Ａや１２Ｂ内の蛍光顔料と染色顔料によって異なった色で発光させて、表示シート１１の複数の表示部１１Ｂを様々な色で照光するように構成されている。
【００４９】
すなわち、所定の色を吸収し所定の色に発光する蛍光顔料と、所定色の補色を吸収する染色顔料を分散して、発光部１２Ａや１２Ｂを形成することによって、複数の発光部１２Ａや１２Ｂそのものを、発光素子１０の白色や青色の発光色とは異なる、鮮明な赤色や緑色等で発光させことができるため、複数の表示部１１Ｂの多様な照光が行えるようになっている。
【００５０】
また、このように発光部１２Ａや１２Ｂ自体が、鮮明な赤色や緑色に発光するように形成されているため、発光部１２Ａや１２Ｂ上方の基材１上面に、発光素子１０の光を異なる色に変換するための層等を設ける必要はなく、これらをスクリーン印刷によって形成する場合にも、少ない印刷回数で製作が行えるように構成されている。
【００５１】
つまり、表示部１１Ｂを照光する発光色数だけの印刷回数、例えば上記のように赤色と緑色の２色に照光する場合には、基材１下面に赤色に発光する発光部１２Ａを印刷形成した後、緑色に発光する発光部１２Ｂを印刷形成して、２回だけの印刷回数で製作を行うことができるため、短い時間で安価に導光シート１３を製作することができるようになっている。
【００５２】
このように本実施の形態によれば、基材１に形成された凸状の複数の発光部１２Ａや１２Ｂ等に、蛍光顔料と染色顔料を分散することによって、複数の発光部１２Ａや１２Ｂそのものを、発光素子１０の発光色とは異なる様々な色で発光させることができるため、少ない印刷回数で製作が行え、安価で多様な照光が可能な導光シート１３、及びこれを用いた可動接点体１６を得ることができるものである。
【００５３】
なお、以上の説明では、下面に複数の可動接点６が貼付されたベースシート５を、導光シート１３の下面に貼付した構成について説明したが、ベースシート５をなくし、導光シート１３の下面に複数の可動接点６を直接貼付した構成とすれば、全体の構成部品数を減らし、可動接点体１６やスイッチをより簡易で安価に形成することができる。
【産業上の利用可能性】
【００５４】
本発明による導光シート及びこれを用いた可動接点体は、安価で多様な照光が可能なものが得られ、主に各種電子機器の操作用として有用である。
【符号の説明】
【００５５】
１  基材
５  ベースシート
６  可動接点
８  配線基板
９  固定接点
９Ａ  中央固定接点
９Ｂ  外側固定接点
１０  発光素子
１１  表示シート
１１Ａ  塗装部
１１Ｂ  表示部
１２Ａ、１２Ｂ  発光部
１３  導光シート
１４  接着剤
１５  セパレータ
１６  可動接点体
【図１】
2011171091.tif 000003
【図２】
2011171091.tif 000004
【図３】
2011171091.tif 000005